(57)【要約】【課題】手動式バルブのハンドルから外れ難いウィルキーを提供する。【解決手段】ウィルキー１０はハンドル９０を回転して手動式バルブを開閉する。ウィルキー１０は、一端側に把持部１ａを有する長尺の操作桿１と、短尺の第１及び第２アーム１１・１２を備える。第１アーム１１は、操作桿１の他端側の終端から屈折して操作桿１の長手方向と略直交する方向に延び、スポーク９３、及びリム９４の内側に当接可能である。第２アーム１２は、第１アーム１１と所定間隔を設けて第１アーム１１と略平行するように操作桿１から延び、リム９４の外側に当接可能である。第１及び第２アーム１１・１２には、それらの表面に液状ゴム塗料７ｒからなる滑り止め手段を設けている。【選択図】図１
2011189432.tif 000002
【特許請求の範囲】
【請求項１】
ステムとねじ結合するハブ、このハブを中心に放射状に延びる複数のスポーク、及びこれらのスポークの延端に結合する円環状のリムを有するハンドルを回転することにより手動式バルブを開閉するためのウィルキーであって、
一端側に把持部を有する長尺の操作桿と、
前記操作桿の他端側の終端から屈折して当該操作桿の長手方向と略直交する方向に延び、前記スポーク、及び前記リムの内側に当接可能な短尺の第１アームと、
前記第１アームと所定間隔を設けて当該第１アームと略平行するように前記操作桿から延び、前記リムの外側に当接可能な短尺の第２アームと、を備え、
前記第１アームと第２アームのいずれか一方、又は、前記第１アームと第２アームの双方は、それらの表面に滑り止め手段を設けているウィルキー。
【請求項２】
前記操作桿の把持部は、その表面に滑り止め手段を設けている請求項１記載のウィルキー。
【請求項３】
前記滑り止め手段は、粘着性液体が塗布されている請求項１又は２記載のウィルキー。
【請求項４】
前記粘着性液体は、金属の表面に塗膜ゴムを形成可能な液状ゴム塗料からなる請求項３記載のウィルキー。
【発明の詳細な説明】
【技術分野】
【０００１】
本発明は、ウィルキーに関する。特に、手動式バルブを開閉するハンドルを回す特殊用途の工具であるウィルキーの構造に関する。
【背景技術】
【０００２】
火力発電所や化学プラントなどは、各種の流体や気体を移送するために多数の配管が敷設されている。そして、これらの配管の流量を調整する流量調整弁や配管の流路を開閉する開閉弁が随所に配置されている。開閉弁は、例えば、手動式バルブが使用されている。手動式バルブは、ハンドルを回すことにより配管の流路を開閉できる。
【０００３】
火力発電所や化学プラントなどに使用されている手動式バルブは、閉じられた状態、又は開かれた状態で維持された期間が長く、ハンドルの回転が困難な場合が多い。又、高圧の液体を開閉する手動式バルブは、ハンドルの回転が困難な場合が多い。したがって、手動では、ハンドルを回転することが困難であるため、定期点検などでは、ウィルキーを用いてハンドルを回転させている。ウィルキーをハンドルに係止することにより、ハンドルの回転トルクを増大できるからである。
【０００４】
図６は、従来技術による一般的なウィルキーの構造を示す斜視図である。図７は、従来技術による一般的なウィルキーを用いて、手動式バルブが閉じる方向にハンドルを回転している状態を示す斜視図である。図８は、従来技術による一般的なウィルキーがハンドルから外れた状態を示す斜視図である。
【０００５】
図６を参照すると、ウィルキー８は、長尺の操作桿８０と、短尺の第１及び第２アーム８１・８２と、を備えている。操作桿８０は、一端側に把持部８ａを有している。第１アーム８１は、操作桿８０の他端側の終端から屈折し、操作桿８０の長手方向と略直交する方向に延びている。第２アーム８２は、第１アーム８１と所定間隔を設け、第１アーム８１と略平行に操作桿８０から延びている。ウィルキー８は、操作桿８０及び第１及び第２アーム８１・８２が例えば鍛造などで一体に成形された、剛体の工具となっている。
【０００６】
図７を参照すると、手動式バルブ９は、回転可能なハンドル９０を備えている。ハンドル９０は、ハブ９２と複数のスポーク９３と円環状のリム９４を有している。ハブ９２は、ステム９１とねじ結合している。スポーク９３は、ハブ９２を中心に放射状に延びている。リム９４は、スポーク９３の延端に結合している。ウィルキー８を用いて、ハンドル９０を回転することにより、手動式バルブ９を開閉できる。
【０００７】
図７を参照すると、例えば、スポーク９３及びリム９４の内側に第１アーム８１を当接し、リム９４の外側に第２アーム８２を当接し、操作桿８０をハンドル９０の遠心方向に引っ張りながら、手前側に引き、ハンドル９０を時計方向に回転することにより、手動式バルブ９を閉じることができる。
【０００８】
一方、例えば、スポーク９３及びリム９４の内側に第１アーム８１を当接し、リム９４の外側に第２アーム８２を当接し、操作桿８０をハンドル９０の遠心方向に引っ張りながら、奥側に押し、ハンドル９０を反時計方向に回転することにより、手動式バルブ９を開くことができる。
【０００９】
図７に示されるように、ウィルキー８は、ハンドル９０の中心を跨ってはおらず、又、短尺の第１及び第２アーム８１・８２が真直ぐ延びているので、ハンドル９０への着脱も容易である。
【００１０】
例えば、図７に示されたハンドル９０は、操作者の腰部の高さに配置されているので、ウィルキー８をハンドル９０に係合して回転させることは比較的容易である。一方、図８に示されたハンドル９０は、操作者の頭部の高さに配置されているので、ウィルキー８をハンドル９０に係合して回転させることは比較的困難である。図８において、第１及び第２アーム８１・８２は、曲面を形成しているリム９４と点接触しているので、ハンドル９０から外れ易いということもあり得る。
【００１１】
このように、火力発電所や化学プラントなどでは、ウィルキー８を困難な姿勢で操作することがあり、一般的な従来のウィルキー８は、ハンドル９０から外れ易いという不具合がある。このような不具合に対して、手動式バルブのハンドルから外れ難いウィルキーが開示されている（例えば、特許文献１参照）。
【００１２】
特許文献１によるウィルキーは、ハンドルを回転して手動式バルブを開閉する。このウィルキーは、一端側に把持部を有する長尺の操作桿と、短尺の第１及び第２アームを備えている。第１アームは、操作桿の他端側の終端から屈折して操作桿の長手方向と略直交する方向に延び、スポーク、及びリムの内側に当接可能である。
【００１３】
一方、第２アームは、第１アームと所定間隔を設けて第１アームと略平行するように操作桿から延び、リムの外側に当接可能である。そして、第１アームは、リムの外周に係合可能な第１凹部を隅部に設け、第２アームは、リムの外周に係合可能な第２凹部を隅部に設けている。
【先行技術文献】
【特許文献】
【００１４】
【特許文献１】特開２００９−２８８４６号公報
【発明の概要】
【発明が解決しようとする課題】
【００１５】
特許文献１によるウィルキーは、手動式バルブのハンドルから外れ難いという利点はあるが、火力発電所や化学プラントなどでは、既に各種のウィルキーを用意している。手動式バルブのハンドルから外れ難くするために、特許文献１によるウィルキーを新たに購入しなければならないという問題がある。
【００１６】
既存のウィルキー、又は既に用意されたウィルキーを用いて、手動式バルブのハンドルから外れ難いように、ウィルキーを構成できれば、新たにウィルキーを購入することなく、作業効率を向上できると共に、経費も削減できる。そして、以上のことが本発明の課題といってよい。
【００１７】
本発明は、このような課題に鑑みてなされたものであり、既存のウィルキーを利用でき、手動式バルブのハンドルから外れ難いウィルキーを提供することを目的とする。
【課題を解決するための手段】
【００１８】
本発明者は、ウィルキーの特定の部位に滑り止め手段を設けることにより、この課題が解決可能なことを見出し、これに基づいて、以下のような新たなウィルキーを発明するに至った。
【００１９】
（１）本発明によるウィルキーは、ステムとねじ結合するハブ、このハブを中心に放射状に延びる複数のスポーク、及びこれらのスポークの延端に結合する円環状のリムを有するハンドルを回転することにより手動式バルブを開閉するためのウィルキーであって、一端側に把持部を有する長尺の操作桿と、前記操作桿の他端側の終端から屈折して当該操作桿の長手方向と略直交する方向に延び、前記スポーク、及び前記リムの内側に当接可能な短尺の第１アームと、前記第１アームと所定間隔を設けて当該第１アームと略平行するように前記操作桿から延び、前記リムの外側に当接可能な短尺の第２アームと、を備え、前記第１アームと第２アームのいずれか一方、又は、前記第１アームと第２アームの双方は、それらの表面に滑り止め手段を設けている。
【００２０】
（２）操作桿の把持部は、その表面に滑り止め手段を設けていることが好ましい。
【００２１】
（３）前記滑り止め手段は、粘着性液体が塗布されていることが好ましい。
【００２２】
（４）前記粘着性液体は、金属の表面に塗膜ゴムを形成可能な液状ゴム塗料からなることが好ましい。
【発明の効果】
【００２３】
本発明によるウィルキーは、第１アームと第２アームのいずれか一方、又は、第１アームと第２アームの双方には、それらの表面に滑り止め手段を設けているので、手動式バルブのハンドルから外れ難いという効果がある。
【００２４】
又、本発明によるウィルキーは、既存のウィルキーに、例えば、液状ゴム塗料からなる粘着性液体を塗布するだけでよく、塗膜が剥離した場合は、液状ゴム塗料を塗布して再生可能であるというメリットがある。
【図面の簡単な説明】
【００２５】
【図１】本発明の一実施形態によるウィルキーの構成を示す斜視図である。
【図２】前記実施形態によるウィルキーの構成を示す斜視図であり、ウィルキーを用いて手動式バルブを開く状態を示している。
【図３】前記実施形態によるウィルキーの構成を示す斜視図であり、ウィルキーを用いて手動式バルブを閉じる状態を示している。
【図４】前記実施形態によるウィルキーの構成を示す平面図であり、ウィルキーを用いて手動式バルブを開く状態を横断面で示している。
【図５】前記実施形態によるウィルキーの構成を示す平面図であり、ウィルキーを用いて手動式バルブを閉じる状態を横断面で示している。
【図６】従来技術による一般的なウィルキーの構成を示す斜視図である。
【図７】従来技術による一般的なウィルキーを用いて、手動式バルブが閉じる方向にハンドルを回転している状態を示す斜視図である。
【図８】従来技術による一般的なウィルキーがハンドルから外れた状態を示す斜視図である。
【発明を実施するための形態】
【００２６】
以下、図面を参照して本発明を実施するための形態を説明する。
［ウィルキーの構成］
最初に、本発明の一実施形態によるウィルキーの構成を説明する。なお、以下の図面において、従来技術と同じ符号を使用する構成品は、その作用を同一とするので説明を割愛することがある。
【００２７】
図１は、本発明の一実施形態によるウィルキーの構成を示す斜視図である。図２は、前記実施形態によるウィルキーの構成を示す斜視図であり、ウィルキーを用いて手動式バルブを開く状態を示している。図３は、前記実施形態によるウィルキーの構成を示す斜視図であり、ウィルキーを用いて手動式バルブを閉じる状態を示している。
【００２８】
図１から図３を参照すると、ウィルキー１０は、長尺の操作桿１と短尺の第１及び第２アーム１１・１２を備えている。操作桿１は、一端側に把持部１ａを有している。第１アーム１１は、操作桿１の他端側の終端から屈折しており、操作桿１の長手方向と略直交する方向に延びている。第１アーム１１は、スポーク９３及びリム９４の内側に当接可能となっている。
【００２９】
図１から図３を参照すると、第２アーム１２は、第１アーム１１と所定間隔を設けて、第１アーム１１と略平行するように操作桿１から延びている。又、第２アーム１２は、リム９４の外側に当接可能となっている。なお、図示されたウィルキー１０は、従来技術によるウィルキー８と実質的に同じものであるが、説明の便宜上、符号を変えて区別した。
【００３０】
図１から図３を参照すると、第１アーム１１は、その表面に滑り止め手段１１ｒを設けている。又、第２アーム１２は、その表面に滑り止め手段１２ｒを設けている。更に、操作桿１の把持部１ａは、その表面に滑り止め手段１ｒを設けている。
【００３１】
図１を参照すると、滑り止め手段１１ｒ・１２ｒ及び滑り止め手段１ｒは、第１及び第２アーム１１・１２の表面、又は把持部１ａの表面にウレタン系接着剤又は液状ゴム塗料などの粘着性液体が塗布されている。
【００３２】
図１を参照すると、実施の態様では、第１及び第２アーム１１・１２が塗料缶７に充填された液状ゴム塗料７ｒに浸漬されて、それらの表面に塗膜ゴムを形成している。又、把持部１ａに液状ゴム塗料７ｒが塗布されて、その表面に塗膜ゴムを形成している。つまり、第１及び第２アーム１１・１２及び把持部１ａは、ラバーコーティングされている。
【００３３】
図１から図３を参照すると、第１アーム１１と第２アーム１２のいずれか一方に塗膜ゴムを形成してもよく、第１アーム１１と第２アーム１２の双方に塗膜ゴムを形成してもよい。なお、滑り止め手段１１ｒ・１２ｒ及び滑り止め手段１ｒは、実体として、それらの表面に塗布された塗膜ゴムであるが、説明の便宜上、符号を変えて区別した。
【００３４】
［ウィルキーの作用］
次に、実施形態のウィルキー１０の作用及び効果を説明する。図４は、前記実施形態によるウィルキーの構成を示す平面図であり、ウィルキーを用いて手動式バルブを開く状態を横断面で示している。図５は、前記実施形態によるウィルキーの構成を示す平面図であり、ウィルキーを用いて手動式バルブを閉じる状態を横断面で示している。
【００３５】
図２又は図４を参照すると、ウィルキー１０は、ハンドル９０を反時計方向に回転させて手動式バルブ９を開くことができる。ハンドル９０の操作面から見て、スポーク９３の左側とリム９４の内側が交差する隅部に第１アーム１１が挿入される。第２アーム１２は、第１アーム１１に対して右下に位置するように配置される。そして、把持部１ａを反時計方向に回転させる。
【００３６】
図４に示されるように、スポーク９３及びリム９４の内側に第１アーム１１を当接し、リム９４の外側に第２アーム１２を当接し、操作桿１をハンドル９０の遠心方向に引っ張りながら、奥側に押し、ハンドル９０を反時計方向に回転することにより、手動式バルブ９を開くことができる。
【００３７】
図２又は図４を参照すると、手動式バルブ９を開くときには、第１アーム１１を支点として第２アーム１２が浮き上がるように回転し、第２アーム１２がリム９４から外れ易いと考えられる。手動式バルブ９を開くときには、第２アーム１２に滑り止め手段１２ｒを設けることが好ましいと考えられる。
【００３８】
図４を参照すると、ウィルキー１０は、ハンドル９０に対して前記のように配置されるので、第１アーム１１に設けた滑り止め手段１１ｒは、スポーク９３の左側とリム９４の内側が交差する隅部に密着するように当接している。一方、第２アーム１２に設けた滑り止め手段１２ｒは、リム９４の外側に密着するように当接している。
【００３９】
このように、実施形態によるウィルキー１０は、第１アーム１１又は第２アーム１２がリム９４を囲うように密着する滑り止め手段１１ｒ又は滑り止め手段１２ｒで塗膜されており、滑り止め手段１１ｒがリム９４の内側に当接でき、滑り止め手段１２ｒがリム９４の外側に当接できる。実施形態によるウィルキー１０は、手動式バルブ９を開く場合に、手動式バルブ９のハンドル９０からより確実に外れ難いという効果がある。
【００４０】
一方、図３又は図５を参照すると、ウィルキー１０は、ハンドル９０を時計方向に回転させて手動式バルブ９を閉じることができる。ハンドル９０の操作面から見て、スポーク９３の右側とリム９４の内側が交差する隅部に第１アーム１１が挿入される。第２アーム１２は第１アーム１１に対して左下に位置するように配置される。そして、把持部１ａを時計方向に回転させる。
【００４１】
図５に示されるように、スポーク９３及びリム９４の内側に第１アーム１１を当接し、リム９４の外側に第２アーム１２を当接し、操作桿１をハンドル９０の遠心方向に引っ張りながら、手前側に引き、ハンドル９０を時計方向に回転することにより、手動式バルブ９を閉じることができる。
【００４２】
図３又は図５を参照すると、手動式バルブ９を閉じるときには、第２アーム１２を支点として第１アーム１１が浮き上がるように回転し、第１アーム１１がリム９４から外れ易いと考えられる。手動式バルブ９を閉じるときには、第１アーム１１に滑り止め手段１１ｒを設けることが好ましいと考えられる。
【００４３】
図５を参照すると、ウィルキー１０は、ハンドル９０に対して前記のように配置されるので、第１アーム１１に設けた滑り止め手段１１ｒは、スポーク９３の右側とリム９４の内側が交差する隅部に密着するように当接している。一方、第２アーム１２に設けた滑り止め手段１２ｒは、リム９４の外側に密着するように当接している。
【００４４】
このように、実施形態によるウィルキー１０は、第１アーム１１又は第２アーム１２がリム９４を囲うように密着する滑り止め手段１１ｒ又は滑り止め手段１２ｒで塗膜されており、滑り止め手段１１ｒがリム９４の内側に当接でき、滑り止め手段１２ｒがリム９４の外側に当接できる。実施形態によるウィルキー１０は、手動式バルブ９を閉じる開く場合に、手動式バルブ９のハンドル９０からより確実に外れ難いという効果がある。
【００４５】
実施形態によるウィルキー１０は、第１アーム１１と第２アーム１２のいずれか一方、又は、第１アーム１１と第２アーム１２の双方には、それらの表面に滑り止め手段を設けているので、手動式バルブ９のハンドル９０から外れ難いという効果がある。
【００４６】
又、実施形態によるウィルキー１０は、操作桿１の把持部１ａに滑り止め手段１ｒを設けているので、把持部１ａを確実に把持できるという効果がある。
【００４７】
更に、実施形態によるウィルキー１０は、既存のウィルキーを利用でき、例えば、液状ゴム塗料からなる粘着性液体を塗布するだけでよく、塗膜が剥離した場合は、液状ゴム塗料を塗布して再生可能であるというメリットがある。
【００４８】
ウィルキーが手動式バルブのハンドルから外れ難いという利点を有することにより、以下のような効果が期待できる。その第１は、作業現場での安全性が向上することである。その第２は、作業効率が向上することである。更に、対象機器や周囲の設備が損傷から保護されること、及び作業環境が安全になるという副次的効果も期待できる。
【符号の説明】
【００４９】
１  操作桿
１ａ  把持部
１ｒ  滑り止め手段
１０  ウィルキー
１１  第１アーム
１１ｒ  滑り止め手段
１２  第２アーム
１２ｒ  滑り止め手段
９０  ハンドル
９３  スポーク
９４  リム
【図１】
2011189432.tif 000003
【図２】
2011189432.tif 000004
【図３】
2011189432.tif 000005
【図４】
2011189432.tif 000006
【図５】
2011189432.tif 000007
【図６】
2011189432.tif 000008
【図７】
2011189432.tif 000009
【図８】
2011189432.tif 000010